(57)【要約】      （修正有）【課題】記録再生性能の向上。【解決手段】光ディスク１００に出射光ビームＬＢ１と出射光ビームＬＢ２とを同時に照射し得ると共にそれぞれ書込照射モード、書換照射モード、及び再生照射モードに変更し得るようにし、２ビーム記録動作モードにおいて出射光ビームＬＢ１を書込照射モードに、出射光ビームＬＢ２を読出照射モードに変更することによりＲｕｎｎｉｎｇ  ＯＰＣを行い、２ビーム書換動作モードにおいて出射光ビームＬＢ１を消去照射モードに、出射光ビームＬＢ２を書込照射モードに変更することにより、既存のデータを消去しながら新たなデータを書き込み、２ビーム再生動作モードにおいて出射光ビームＬＢ１及び出射光ビームＬＢ２を共に読出照射モードに変更することにより、再生データＤ１及びＤ２を基にエラー訂正処理を行うようにし、さらに各動作モードを自在に切り換えるようにした。【選択図】図１
2006107679.tif 000002
【特許請求の範囲】
【請求項１】
記録可能な光ディスクに対して光ビームを照射することによりデータを記録する光ディスク装置において、
上記データを書き込むための第１光ビームを上記光ディスクに照射する第１光ビーム照射手段と、
上記第１光ビームの照射と並行して、上記第１光ビームにより照射された被照射箇所に上記データを読み出すための第２光ビームを照射する第２光ビーム照射手段と、
上記第２光ビームの反射光に基づいた再生信号を用いて上記第１光ビームのパワーを調整する第１光ビーム調整手段と
を具えることを特徴とする光ディスク装置。
【請求項２】
上記光ディスク装置は、上記第１光ビームのパワーを上記光ディスクに合わせて事前に調整することなく当該光ディスクに上記データを記録する
ことを特徴とする請求項１に記載の光ディスク装置。
【請求項３】
上記光ディスク装置は、上記第２光ビームの反射光に基づいた再生信号を用いて、上記第１光ビーム及び当該第２光ビームの焦点を上記光ディスクの上記被照射箇所に合わせるサーボ制御を行う
ことを特徴とする請求項１に記載の光ディスク装置。
【請求項４】
書き換え可能な光ディスクに対して光ビームを照射することによりデータを書き換える光ディスク装置において、
既に記録されたデータを消去するための第１光ビームを上記光ディスクに照射する第１光ビーム照射手段と、
上記第１光ビームの照射と並行して、上記第１光ビームにより照射された被照射箇所に上記データを書き込むための第２光ビームを照射する第２光ビーム照射手段と
を具えることを特徴とする光ディスク装置。
【請求項５】
上記光ディスク装置は、上記第１光ビームの反射光に基づいた再生信号を用いて、当該第１光ビーム及び上記第２光ビームの焦点を上記光ディスクの上記被照射箇所に合わせるサーボ制御を行う
ことを特徴とする請求項４に記載の光ディスク装置。
【請求項６】
再生可能な光ディスクに光ビームを照射することによりデータを再生する光ディスク装置において、
上記データを読み出すための第１光ビームを上記光ディスクに照射する第１光ビーム照射手段と、
上記第１光ビームの照射と並行して、上記第１光ビームにより照射された被照射箇所に上記データを読み出すための第２光ビームを照射する第２光ビーム照射手段と、
上記第１光ビームの反射光に基づいた再生信号と上記第２光ビームの反射光に基づいた再生信号とを用い所定の誤り訂正処理を行うことにより上記データを再生する再生手段と
を具えることを特徴とする光ディスク装置。
【請求項７】
光ディスクに対して光ビームを照射することによりデータの記録、書き換え又は再生を行う光ディスク装置において、
上記光ディスクに書込照射モード、消去照射モード又は読出照射モードのいずれかの照射モードで第１光ビームを照射する第１光ビーム照射手段と、
上記第１光ビームの照射と並行して、上記第１光ビームにより照射された被照射箇所に読出照射モード又は書込照射モードのいずれかの照射モードで第２光ビームを照射する第２光ビーム照射手段と、
上記第１光ビーム及び上記第２光ビームの照射モードをそれぞれ変更すると共に、記録可能な光ディスクにデータを記録する記録動作モードと、書き換え可能な光ディスクのデータを書き換える書換動作モードと、再生可能な光ディスクからデータを読み出して再生する再生動作モードとを切り換える制御手段と
を具え、
上記制御手段は、
上記記録動作モードに切り換わった場合、上記書込照射モードの上記第１光ビームにより上記光ディスクに対して上記データを書き込ませると共に、上記読出照射モードの上記第２光ビームを上記光ディスクへ照射させた際の反射光を基に上記第１光ビームのパワーを調整させ、
上記書換動作モードに切り換わった場合、上記消去照射モードの上記第１光ビームにより上記光ディスクに既に記録されたデータを消去させると共に上記書込照射モードの上記第２光ビームにより上記光ディスクに対して上記データを書き込ませ、
上記再生動作モードに切り換わった場合、上記読出照射モードの上記第１光ビーム及び第２光ビームを共に上記光ディスクへ照射させ、当該第１光ビームの反射光に基づく再生信号と当該第２光ビームの反射光に基づく再生信号とを用い所定の誤り訂正処理を行うことにより上記データを再生させる
ことを特徴とする光ディスク装置。
【請求項８】
上記光ディスク装置は、上記記録動作モードに切り換わった場合、上記第１光ビームのパワーを上記光ディスクに合わせて事前に最適化することなく当該光ディスクに上記データを記録する
ことを特徴とする請求項７に記載の光ディスク装置。
【請求項９】
上記光ディスク装置は、上記記録動作モードに切り換わった場合、上記第２光ビームの反射光に基づいた再生信号を用いて、上記第１光ビーム及び当該第２光ビームの焦点を上記光ディスクの上記被照射箇所に合わせるサーボ制御を行う
ことを特徴とする請求項７に記載の光ディスク装置。
【請求項１０】
上記光ディスク装置は、上記書換動作モードに切り換わった場合、上記第１光ビームの反射光に基づいた再生信号を用いて、当該第１光ビーム及び上記第２光ビームの焦点を上記光ディスクの上記被照射箇所に合わせるサーボ制御を行う
ことを特徴とする請求項７に記載の光ディスク装置。
【請求項１１】
記録可能な光ディスクに対して光ビームを照射することによりデータを記録する光ディスク記録方法において、
上記データを書き込むための第１光ビームを上記光ディスクに照射する第１光ビーム照射ステップと、
上記第１光ビームの照射と並行して、上記第１光ビームにより照射された被照射箇所に上記データを読み出すための第２光ビームを照射する第２光ビーム照射ステップと、
上記第２光ビームの反射光に基づいた再生信号を用いて上記第１光ビームのパワーを調整する第１光ビーム調整ステップと
を具えることを特徴とする光ディスク記録方法。
【請求項１２】
書き換え可能な光ディスクに対して光ビームを照射することによりデータを書き換える光ディスク書換方法において、
既に記録されたデータを消去するための第１光ビームを上記光ディスクに照射する第１光ビーム照射ステップと、
上記第１光ビームの照射と並行して、上記第１光ビームにより照射された被照射箇所に上記データを書き込むための第２光ビームを照射する第２光ビーム照射ステップと
を具えることを特徴とする光ディスク書換方法。
【請求項１３】
再生可能な光ディスクに光ビームを照射することによりデータを再生する光ディスク再生方法において、
上記データを読み出すための第１光ビームを上記光ディスクに照射する第１光ビーム照射ステップと、
上記第１光ビームの照射と並行して、上記第１光ビームにより照射された被照射箇所に上記データを読み出すための第２光ビームを照射する第２光ビーム照射ステップと、
上記第１光ビームの反射光に基づいた再生信号と上記第２光ビームの反射光に基づいた再生信号とを用い所定の誤り訂正処理を行うことにより上記データを再生する再生ステップと
を具えることを特徴とする光ディスク再生方法。
【請求項１４】
光ディスクに対して光ビームを照射することによりデータの記録、書き換え又は再生を行う光ディスク記録再生方法において、
上記光ディスクに書込照射モード、消去照射モード又は読出照射モードのいずれかの照射モードで第１光ビームを照射する第１光ビーム照射ステップと、
上記第１光ビームの照射と並行して、上記第１光ビームにより照射された被照射箇所に読出照射モード又は書込照射モードのいずれかの照射モードで第２光ビームを照射する第２光ビーム照射ステップと、
上記第１光ビーム及び上記第２光ビームの照射モードをそれぞれ変更すると共に、記録可能な光ディスクにデータを記録する記録動作モードと、書き換え可能な光ディスクのデータを書き換える書換動作モードと、再生可能な光ディスクからデータを読み出して再生する再生動作モードとを切り換える制御ステップと
を具え、
上記制御ステップは、
上記記録動作モードに切り換わった場合、上記書込照射モードの上記第１光ビームにより上記光ディスクに対して上記データを書き込ませると共に、上記読出照射モードの上記第２光ビームを上記光ディスクへ照射させた際の反射光を基に上記第１光ビームのパワーを調整させ、
上記書換動作モードに切り換わった場合、上記消去照射モードの上記第１光ビームにより上記光ディスクに既に記録されたデータを消去させると共に上記書込照射モードの上記第２光ビームにより上記光ディスクに対して上記データを書き込ませ、
上記再生動作モードに切り換わった場合、上記読出照射モードの上記第１光ビーム及び第２光ビームを共に上記光ディスクへ照射させ、当該第１光ビームの反射光に基づく再生信号と当該第２光ビームの反射光に基づく再生信号とを用い所定の誤り訂正処理を行うことにより上記データを再生させる
ことを特徴とする光ディスク記録再生方法。
【発明の詳細な説明】
【技術分野】
【０００１】
本発明は光ディスク装置及び光ディスク記録再生方法に関し、例えば光ディスクに対してデータの追記や書き換えを行い得る光ディスク装置に適用して好適なものである。
【背景技術】
【０００２】
従来、光ディスク装置においては、ＤＶＤ−ＲＯＭ（Digital Versatile Disc-Read Only Memory）等の光ディスクからデータを読み出し得ると共に、ＤＶＤ−Ｒ（Digital Versatile Disc-Recordable）等の追記型の光ディスクにデータを追記し得、あるいはＤＶＤ−ＲＷ（Digital Versatile Disc-ReWritable）等の書き換え型の光ディスクのデータを書き換え得るようになされたものが提案されている。
【０００３】
このような光ディスク装置においては、データの読み出しや書き込みはできるだけ短時間で完了することが望ましく、そのため光ディスクの回転速度の高速化や、当該光ディスクに照射する光ビームの制御の高精度化等により、データの読み出し速度や書き込み速度の高速化する、すなわち記録再生能力を向上させるように図られている。
【０００４】
ところで光ディスク装置は、データの正確な記録を保証するべく、データを書き込んだ直後に当該データを実際に読み出してデータの確認（ベリファイ）をする場合、当該データを書き込みと読み出しとにそれぞれ時間を要するため、書き込みのみを行う場合と比較して、ベリファイを了するまでの時間を大幅に要してしまうという問題があった。
【０００５】
そこで光ディスク装置のなかには、光ディスクに対して書き込み用の光ビームと読み出し用の光ビームとを２本同時に照射してデータの書き込みと読み出しとを同時に行うことにより、データの書き込みが完了するのとほぼ同時にベリファイも完了させ、所要時間を大幅に短縮する手法が提案されている（例えば、特許文献１参照）。
【特許文献１】特開平８−７７５８１号公報（第４頁、第１図）
【発明の開示】
【発明が解決しようとする課題】
【０００６】
ところで、かかる構成の光ディスク装置は、２本の光ビームを用いてデータの書き込みと同時に読み出しを行うことによりベリファイに要する時間を短縮できるものの、データの書き込み速度やデータの読み出し速度自体はいずれも通常速度のままであるため、例えば記録のみ又は再生のみを行う場合には所要時間を短縮できず、記録再生性能を向上できないという問題があった。
【０００７】
本発明は以上の点を考慮してなされたもので、記録再生性能を格段に向上し得る光ディスク装置及び光ディスク記録再生方法を提案しようとするものである。
【課題を解決するための手段】
【０００８】
かかる課題を解決するため本発明の光ディスク装置においては、記録可能な光ディスクに対して光ビームを照射することによりデータを記録する光ディスク装置において、データを書き込むための第１光ビームを光ディスクに照射する第１光ビーム照射手段と、第１光ビームの照射と並行して、第１光ビームにより照射された被照射箇所にデータを読み出すための第２光ビームを照射する第２光ビーム照射手段と、第２光ビームの反射光に基づいた再生信号を用いて第１光ビームのパワーを調整する第１光ビーム調整手段とを設けるようにした。
【０００９】
これにより、第１光ビームにおける事前のパワー調整を不要とすることができ、データの記録に要する合計処理時間を短縮することができる。
【００１０】
また本発明の光ディスク装置においては、書き換え可能な光ディスクに対して光ビームを照射することによりデータを書き換える光ディスク装置において、既に記録されたデータを消去するための第１光ビームを光ディスクに照射する第１光ビーム照射手段と、第１光ビームの照射と並行して、第１光ビームにより照射された被照射箇所にデータを書き込むための第２光ビームを照射する第２光ビーム照射手段とを設けるようにした。
【００１１】
これにより、第１光ビームにより既存のデータを完全に消去してから第２光ビームにより新たなデータを高品質に書き込むことができ、規定速度よりも高速かつ正常にデータを書き換えることができる。
【００１２】
さらに本発明の光ディスク装置においては、再生可能な光ディスクに光ビームを照射することによりデータを再生する光ディスク装置において、データを読み出すための第１光ビームを光ディスクに照射する第１光ビーム照射手段と、第１光ビームの照射と並行して、第１光ビームにより照射された被照射箇所にデータを読み出すための第２光ビームを照射する第２光ビーム照射手段と、第１光ビームの反射光に基づいた再生信号と第２光ビームの反射光に基づいた再生信号とを用い所定の誤り訂正処理を行うことによりデータを再生する再生手段とを設けるようにした。
【００１３】
これにより、２種類の再生信号に基づいて誤り訂正処理を行った高品質なデータを再生することができ、あるいは高速で読み出しても誤り率を増加させることなく品質を保ったデータを再生することができる。
【００１４】
さらに本発明の光ディスク装置においては、光ディスクに対して光ビームを照射することによりデータの記録、書き換え又は再生を行う光ディスク装置において、光ディスクに書込照射モード、消去照射モード又は読出照射モードのいずれかの照射モードで第１光ビームを照射する第１光ビーム照射手段と、第１光ビームの照射と並行して、第１光ビームにより照射された被照射箇所に読出照射モード又は書込照射モードのいずれかの照射モードで第２光ビームを照射する第２光ビーム照射手段と、第１光ビーム及び第２光ビームの照射モードをそれぞれ変更すると共に、記録可能な光ディスクにデータを記録する記録動作モードと、書き換え可能な光ディスクのデータを書き換える書換動作モードと、再生可能な光ディスクからデータを読み出して再生する再生動作モードとを切り換える制御手段とを設け、制御手段は、記録動作モードに切り換わった場合、書込照射モードの第１光ビームにより光ディスクに対してデータを書き込ませると共に、読出照射モードの第２光ビームを光ディスクへ照射させた際の反射光を基に第１光ビームのパワーを調整させ、書換動作モードに切り換わった場合、消去照射モードの第１光ビームにより光ディスクに既に記録されたデータを消去させると共に書込照射モードの第２光ビームにより光ディスクに対してデータを書き込ませ、再生動作モードに切り換わった場合、読出照射モードの第１光ビーム及び第２光ビームを共に光ディスクへ照射させ、当該第１光ビームの反射光に基づく再生信号と当該第２光ビームの反射光に基づく再生信号とを用い所定の誤り訂正処理を行うことによりデータを再生させるようにした。
【００１５】
これにより、記録動作モードにおいて第１光ビームの事前のパワー調整を不要とすることができるのでデータの記録に要する合計処理時間を短縮することができ、また書換動作モードにおいて第１光ビームにより既存のデータを完全に消去してから第２光ビームにより新たなデータを高品質に書き込むことができるので規定速度よりも高速かつ正常にデータを書き換えることができ、さらに再生動作モードにおいて２種類の再生信号に基づいて誤り訂正処理を行った高品質なデータを再生することができ、あるいは高速で読み出しても誤り率を増加させることなく品質を保ったデータを再生することができ、そのうえ各動作モードを自在に切り換えることができる。
【００１６】
さらに本発明の光ディスク記録方法においては、記録可能な光ディスクに対して光ビームを照射することによりデータを記録する光ディスク記録方法において、データを書き込むための第１光ビームを光ディスクに照射する第１光ビーム照射ステップと、第１光ビームの照射と並行して、第１光ビームにより照射された被照射箇所にデータを読み出すための第２光ビームを照射する第２光ビーム照射ステップと、第２光ビームの反射光に基づいた再生信号を用いて第１光ビームのパワーを調整する第１光ビーム調整ステップとを設けるようにした。
【００１７】
これにより、第１光ビームにおける事前のパワー調整を不要とすることができ、データの記録に要する合計処理時間を短縮することができる。
【００１８】
さらに本発明の光ディスク書換方法においては、書き換え可能な光ディスクに対して光ビームを照射することによりデータを書き換える光ディスク書換方法において、既に記録されたデータを消去するための第１光ビームを光ディスクに照射する第１光ビーム照射ステップと、第１光ビームの照射と並行して、第１光ビームにより照射された被照射箇所にデータを書き込むための第２光ビームを照射する第２光ビーム照射ステップとを設けるようにした。
【００１９】
これにより、第１光ビームにより既存のデータを完全に消去してから第２光ビームにより新たなデータを高品質に書き込むことができ、規定速度よりも高速かつ正常にデータを書き換えることができる。
【００２０】
さらに本発明の光ディスク再生方法においては、再生可能な光ディスクに光ビームを照射することによりデータを再生する光ディスク再生方法において、データを読み出すための第１光ビームを光ディスクに照射する第１光ビーム照射ステップと、第１光ビームの照射と並行して、第１光ビームにより照射された被照射箇所にデータを読み出すための第２光ビームを照射する第２光ビーム照射ステップと、第１光ビームの反射光に基づいた再生信号と第２光ビームの反射光に基づいた再生信号とを用い所定の誤り訂正処理を行うことによりデータを再生する再生ステップとを設けるようにした。
【００２１】
これにより、２種類の再生信号に基づいて誤り訂正処理を行った高品質なデータを再生することができ、あるいは高速で読み出しても誤り率を増加させることなく品質を保ったデータを再生することができる。
【００２２】
さらに本発明の光ディスク記録再生方法においては、光ディスクに対して光ビームを照射することによりデータの記録、書き換え又は再生を行う光ディスク記録再生方法において、光ディスクに書込照射モード、消去照射モード又は読出照射モードのいずれかの照射モードで第１光ビームを照射する第１光ビーム照射ステップと、第１光ビームの照射と並行して、第１光ビームにより照射された被照射箇所に読出照射モード又は書込照射モードのいずれかの照射モードで第２光ビームを照射する第２光ビーム照射ステップと、第１光ビーム及び第２光ビームの照射モードをそれぞれ変更すると共に、記録可能な光ディスクにデータを記録する記録動作モードと、書き換え可能な光ディスクのデータを書き換える書換動作モードと、再生可能な光ディスクからデータを読み出して再生する再生動作モードとを切り換える制御ステップとを設け、制御ステップは、記録動作モードに切り換わった場合、書込照射モードの第１光ビームにより光ディスクに対してデータを書き込ませると共に、読出照射モードの第２光ビームを光ディスクへ照射させた際の反射光を基に第１光ビームのパワーを調整させ、書換動作モードに切り換わった場合、消去照射モードの第１光ビームにより光ディスクに既に記録されたデータを消去させると共に書込照射モードの第２光ビームにより光ディスクに対してデータを書き込ませ、再生動作モードに切り換わった場合、読出照射モードの第１光ビーム及び第２光ビームを共に光ディスクへ照射させ、当該第１光ビームの反射光に基づく再生信号と当該第２光ビームの反射光に基づく再生信号とを用い所定の誤り訂正処理を行うことによりデータを再生させるようにした。
【００２３】
これにより、記録動作モードにおいて第１光ビームの事前のパワー調整を不要とすることができるのでデータの記録に要する合計処理時間を短縮することができ、また書換動作モードにおいて第１光ビームにより既存のデータを完全に消去してから第２光ビームにより新たなデータを高品質に書き込むことができるので規定速度よりも高速かつ正常にデータを書き換えることができ、さらに再生動作モードにおいて２種類の再生信号に基づいて誤り訂正処理を行った高品質なデータを再生することができ、あるいは高速で読み出しても誤り率を増加させることなく品質を保ったデータを再生することができ、そのうえ各動作モードを自在に切り換えることができる。
【発明の効果】
【００２４】
本発明によれば、記録動作モードにおいて第１光ビームの事前のパワー調整を不要とすることができるのでデータの記録に要する合計処理時間を短縮することができ、また書換動作モードにおいて第１光ビームにより既存のデータを完全に消去してから第２光ビームにより新たなデータを高品質に書き込むことができるので規定速度よりも高速かつ正常にデータを書き換えることができ、さらに再生動作モードにおいて２種類の再生信号に基づいて誤り訂正処理を行った高品質なデータを再生することができ、あるいは高速で読み出しても誤り率を増加させることなく品質を保ったデータを再生することができ、そのうえ各動作モードを自在に切り換えることができ、かくして記録再生性能を格段に向上し得る光ディスク装置を実現できる。
【００２５】
また本発明によれば、記録動作モードにおいて第１光ビームの事前のパワー調整を不要とすることができるのでデータの記録に要する合計処理時間を短縮することができ、また書換動作モードにおいて第１光ビームにより既存のデータを完全に消去してから第２光ビームにより新たなデータを高品質に書き込むことができるので規定速度よりも高速かつ正常にデータを書き換えることができ、さらに再生動作モードにおいて２種類の再生信号に基づいて誤り訂正処理を行った高品質なデータを再生することができ、あるいは高速で読み出しても誤り率を増加させることなく品質を保ったデータを再生することができ、そのうえ各動作モードを自在に切り換えることができ、かくして記録再生性能を格段に向上し得る光ディスク記録再生方法を実現できる。
【発明を実施するための最良の形態】
【００２６】
以下、図面について、本発明の一実施の形態を詳述する。
【００２７】
（１）光ディスク装置の構成
図１（Ａ）において、１は全体として本発明による光ディスク装置の全体構成を示しており、大きく分けて光学系の部品でなる光ピックアップ部２、各種アクチュエータやモータ等を駆動する駆動部３、及び各種信号処理を行う信号処理回路部４により構成されている。
【００２８】
光ディスク装置１は、外部のホスト装置等からの指示に基づき、ＤＶＤ−Ｒ（Digital Versatile Disc-Recordable）等の追記型光ディスクへのデータの記録、ＤＶＤ−ＲＷ（Digital Versatile Disc-ReWritable）等の書き換え型光ディスクのデータの書き換え、あるいはＤＶＤ−ＲＯＭ（Digital Versatile Disc-Read Only Memory）や記録済のＤＶＤ−Ｒ、ＤＶＤ−ＲＷ等の各種光ディスクからのデータの再生を行い得るようになされている。
【００２９】
この図１（Ａ）は光ピックアップ部２の上面図を示しており、当該光ピックアップ部２は、信号処理回路部４の制御に基づいてレーザダイオード１０から２本の発射光ビームＬＡ１及びＬＡ２を発射するようになされている。なおレーザダイオード１０は、実際上僅かに離れた２つのレーザ発射箇所から２本の発射光ビームＬＡ１及びＬＡ２を発射しているが、説明の都合上、図中では発射光ビームＬＡ１及びＬＡ２を重ねて示している。
【００３０】
光ピックアップ部２は、レーザダイオード１０から発射した発射光ビームＬＡ１及びＬＡ２をグレーティング１１、偏光ビームスプリッタ１２、及びコリメータレンズ１３を順次介してアナモプリズム１４へ入射させる。
【００３１】
アナモプリズム１４は、発射光ビームＬＡ１及びＬＡ２の一部を透過させて出射光ビームＬＢ１及びＬＢ２とし、立ち上げミラー１７へ照射させると共に、当該発射光ビームＬＡ１及びＬＡ２の一部を反射させてモニタ光ビームＬＣ１及びＬＣ２とし、これをコリメータレンズ１５を介してフロントモニタフォトディテクタ１６へ照射させる。
【００３２】
フロントモニタフォトディテクタ１６は、モニタ光ビームＬＣ１及びＬＣ２を光電変換し、その変換結果に応じたフロントモニタ信号ＳＦＭ１及びＳＦＭ２を信号処理回路部４へ送出する。これに応じて信号処理回路部４は、レーザダイオード１０から発射する発射光ビームＬＡ１及びＬＡ２のそれぞれの発射強度をフィードバック制御するようになされている（詳しくは後述する）。
【００３３】
一方、光ピックアップ部２の側面図を示した図１（Ｂ）において、当該光ピックアップ部２は、アナモプリズム１４を透過した出射光ビームＬＢ１及びＬＢ２を立ち上げミラー１７により上方向へ立ち上げ、１／４波長板１８及び対物レンズ１９を順次介して当該出射光ビームＬＢ１及びＬＢ２をそれぞれ光ディスク１００へ照射させる。
【００３４】
ここで図２に示すように、光ディスク装置１は、光ディスク１００の記録トラック上に第１光ビームとしての出射光ビームＬＢ１の照射によるスポットＳＰＴ１と第２光ビームとしての出射光ビームＬＢ２の照射によるスポットＳＰＴ２とを同一の記録トラック上に形成するようになされている。このため光ディスク装置１は、光ディスク１００を回転させた際に、記録トラック上における任意の被照射箇所に対して、先行する出射光ビームＬＢ１を照射した直後にこれを追従するように出射光ビームＬＢ２を照射する。
【００３５】
ちなみに実際のＤＶＤ−ＲやＤＶＤ−ＲＷ等の光ディスク１００においては、データを記録する記録トラックは「グルーブ」と呼ばれ、所定の振幅及び所定の周波数でうねり（ウォブル）を有する溝状に形成され、各グルーブ間にはランドが形成されると共に所定規則に従ってランドプリピット（ＬＰＰ：Land Pre Pit）が設けられているが、図２においては簡略化して示している。
【００３６】
光ピックアップ部２（図１（Ａ））は、光ディスク１００により出射光ビームＬＢ１及びＬＢ２を反射させ、このときの反射光ビームＬＤ１及びＬＤ２を対物レンズ１９及び１／４波長板１８を順次介して立ち上げミラー１７により水平方向に戻し、アナモプリズム１４（図１（Ａ））へ入射させる。
【００３７】
続いて光ピックアップ部２は、アナモプリズム１４を透過した反射光ビームＬＤ１及びＬＤ２を、コリメータレンズ１３を透過させ偏光ビームスプリッタ１２により反射させて１／４波長板２０を介した後、マルチレンズ２１によりそれぞれ２本の副ビームを分光してメインフォトディテクタ２２へ照射させる。
【００３８】
メインフォトディテクタ２２は、図３に示すように、反射光ビームＬＤ１を検出するための検出部２２Ａ１〜２２Ｄ１、当該反射光ビームＬＤ１の２本の副ビームをそれぞれ検出するための２２Ｅ１、２２Ｆ１及び２２Ｇ１、２２Ｈ１を有すると共に、反射光ビームＬＤ２を検出するための検出部２２Ａ２〜２２Ｄ２、当該反射光ビームＬＤ２の２本の副ビームをそれぞれ検出するための２２Ｅ２、２２Ｆ２及び２２Ｇ２、２２Ｈ２を有している。
【００３９】
メインフォトディテクタ２２は、検出部２２Ａ１〜２２Ｈ１、２２Ａ２〜２２Ｈ２により反射光ビームＬＤ１及びＬＤ２とその副ビームをそれぞれ光電変換し、各検出部毎の変換結果に応じた検出信号Ａ１〜Ｈ１及びＡ２〜Ｈ２を信号処理回路部４へ送出する。信号処理回路部４は、所定の演算処理を行うことにより、再生ＲＦ信号を生成し、あるいはフォーカス制御及びトラッキング制御を行う等の各種信号処理を行うようになされている（詳しくは後述する）。
【００４０】
ちなみに光ディスク装置１は、発射光ビームＬＡ１及びＬＡ２及び出射光ビームＬＢ１及びＬＢ２の各光路を互いに近接させているため、一方の出射光ビームＬＢ１についてフォーカス制御及びトラッキング制御を行うことにより、他方の出射光ビームＬＢ２ついてもフォーカス及びトラッキングを合わせることができる。
【００４１】
（２）光ディスク装置１の回路構成
次に、光ディスク装置１の回路構成について説明する。図４に示すように、光ディスク装置１は、ＣＰＵ（Central Processing Unit）構成でなる制御部３０によって全体を統括制御しており、外部のホスト装置２００からの指示に基づいてデータの記録や再生等を行うようになされている。
【００４２】
なお光ディスク装置１は、上述したように出射光ビームＬＢ１及びＬＢ２の２本の光ビームを光ディスク１００に同時に照射するべく２系統分の信号処理を行うようになされているが、両系統とも同様の処理を行うため、以下では両系統における処理をまとめて説明する。
【００４３】
（２−１）データの書き換え及び書き込み
光ディスク装置１の制御部３０は、ホスト装置２００からデータの記録指示を受け付けた場合、当該記録指示と共に記録すべきデータＤと当該データＤを記録するアドレスＡとを取得し、これらを８−１６エンコーダ回路３１へ送出する。
【００４４】
また制御部３０はメモリを内蔵しており、データＤをコピーして当該メモリに一時的に蓄積しておくようになされている。
【００４５】
８−１６エンコーダ回路３１は、８ビット形式のデータＤに対して８−１６変調処理を行うことにより、光ディスク１００への記録に適した１６ビット形式の記録データＤＷ（ＤＷ１又はＤＷ２）を生成し、ライトクロック生成回路３６から供給されるライトクロックに合わせて、当該記録データＤＷをライトストラテジ生成回路３２へ送出する。
【００４６】
また８−１６エンコーダ回路３１は、制御部３０から取得したアドレスＡを表すアドレス情報ＩＡをライトストラテジ生成回路３２、２値化回路４６、及びサーボ処理回路３８へ送出する。
【００４７】
これに応じてサーボ処理回路３８は、スピンドルモータドライバ３９、スレッドモータドライバ４０、及び２軸モータドライバ４１を介して駆動部３のスピンドルモータ４２、スレッドモータ４３、及び２軸アクチュエータ４４をそれぞれ制御することにより、光ディスク１００の回転数を調整させ光ピックアップ部２のトラッキング方向の位置を調整させた上で、出射光ビームＬＢ１を光ディスク１００（図２）のアドレス情報ＩＡに対応した箇所にフォーカスを合わせて照射させる。
【００４８】
ちなみに光ディスク装置１は、出射光ビームＬＢ１と出射光ビームＬＢ２との照射間隔が固定されているため、出射光ビームＬＢ１をアドレスＩＡに応じた第１の照射箇所に照射しているとき、当該照射間隔を基に出射光ビームＬＢ２を照射している第２の照射箇所のアドレスについても正確に認識するようになされている。
【００４９】
またスピンドルモータ４２、スレッドモータ４３は、それぞれエンコーダ４２Ａ及びスレッドエンコーダ４３Ａにより各モータの実際の回転量や移動量に応じた検出信号をそれぞれ生成し、サーボ処理回路３８へ送出する。サーボ制御回路３８は、当該検出信号に基づきスピンドルモータ４２及びスレッドモータ４３に対してフィードバック制御を行うようになされている。
【００５０】
ライトストラテジ生成回路３２は、アドレス情報ＩＡに基づき、光ディスク１００のアドレス情報ＩＡに対応した箇所にデータを記録するべく、タイミング信号Ｔを生成して自動パワー制御回路３３へ送出する。
【００５１】
またライトストラテジ生成回路３２は、制御部３０の指示に基づいてレーザダイオード１０から照射する照射光ビームＬＡ（ＬＡ１又はＬＡ２）の照射モードを「書込照射モード」に切り換えさせ、さらに８−１６エンコーダ回路３１から取得した記録データＤＷを基に、光ディスク１００の種類（すなわちＤＶＤ−Ｒ、ＤＶＤ−ＲＷ等）に応じたライトストラテジ（すなわち書き込み時のパルスパターン）に変調する。
【００５２】
ところで書換型のＤＶＤ−ＲＷにおいては、信号記録膜の結晶状態とアモルファス状態との相変化を利用してデータの書き換えを行うようになされており、当該信号記録膜に対してライトパワーＰｗの光ビームを照射した直後に急冷して特定箇所のみをアモルファス状態とすることにより記録マークを形成し、またイレースパワーＰｅの光ビームを照射することによって再度結晶状態に戻して記録マークを消去するようになされている。
【００５３】
このためライトストラテジ生成回路３２は、図５（Ａ）に波形を示す記録データＤＷに基づいて、図５（Ｂ）に波形を示すような、バイアスパワーＰｂ、イレースパワーＰｅ、及びライトパワーＰｗの３段階のパワーを組み合わせたパルス状の書換波形信号ＳＲＷ（ＳＲＷ１又はＳＲＷ２）に変調し、ライトクロック生成回路３６から供給されるライトクロックＣＷＲ（ＣＷＲ１又はＣＷＲ２）に合わせたタイミングで当該書換波形信号ＳＲＷをレーザダイオード１０へ送出する。
【００５４】
ちなみにライトストラテジ生成回路３２は、追記型のＤＶＤ−Ｒにデータを書き込む場合、書換型のＤＶＤ−ＲＷの場合と同様にレーザダイオード１０から照射する照射光ビームＬＡ１の照射モードを「書込照射モード」に切り換えさせるものの、図５（Ｂ）に示した書換波形信号ＳＲＷとは異なり、当該ＤＶＤ−Ｒに応じた波形でなる書込波形信号ＳＷ（ＳＷ１又はＳＷ２）を生成するようになされている。
【００５５】
自動パワー制御回路３３（図４）は、ライトストラテジ生成回路３２から供給されるタイミング信号Ｔに基づき、パワー制御信号ＰＣ（ＰＣ１又はＰＣ２）をレーザダイオード１０へ送出する。
【００５６】
レーザダイオード１０は、自動パワー制御回路３３から供給されたパワー制御信号ＰＣに基づいたタイミング及び照射強度に調整して、ライトストラテジ生成回路３２から供給された書換波形信号ＳＲＷに基づくパルスパターンの光ビームＬＡを発射する。
【００５７】
このときフロントモニタフォトディテクタ１６は、発射光ビームＬＡの一部がアナモプリズム１４（図１）により反射されたモニタ光ビームＬＣ（ＬＣ１又はＬＣ２）を受光し、光電変換により当該モニタ光ビームＬＣの強度に応じたフロントモニタ信号ＳＦＭ（ＳＦＭ１又はＳＦＭ２）を生成して、これを自動パワー制御回路３３へ送出する。
【００５８】
自動パワー制御回路３３は、供給されたフロントモニタ信号ＳＦＭに応じてパワー制御信号ＰＣをフィードバック制御することにより、レーザダイオード１０から発射する光ビームＬＡを自動パワー制御回路３３から指示されたパワーに調整するようになされている。
【００５９】
この結果光ディスク装置１は、レーザダイオード１０から発射光ビームＬＡを発射し、光ピックアップ部２の各種光学部品（図１）を順次介して出射光ビームＬＢ（ＬＢ１又はＬＢ２）として光ディスク１００へ照射することにより、記録データＤＷに応じた記録マークを当該光ディスク１００の信号記録膜に順次形成していくようになされている。
【００６０】
このとき光ディスク装置１は、光ディスク１００において反射した反射光ビームＬＤ（ＬＤ１又はＬＤ２）をメインフォトディテクタ２２によって検出し、検出信号Ａ１〜Ｈ１又はＡ２〜Ｈ２をマトリックスアンプ３４へ送出する。
【００６１】
マトリックスアンプ３４は、メインフォトディテクタ２２から供給される検出信号Ａ１〜Ｈ１又はＡ２〜Ｈ２を基に、非点収差法に従いフォーカスエラー信号ＦＥ（ＦＥ１又はＦＥ２）を次式
【００６２】
【数１】
2006107679.tif 000003
【００６３】
に基づいて算出し、さらにＤＰＰ（Differential Push Pull）法に従い所定の定数Ｋを用いてトラッキングエラー信号ＴＥ（ＴＥ１又はＴＥ２）を次式
【００６４】
【数２】
2006107679.tif 000004
【００６５】
に基づいて算出して、当該フォーカスエラー信号ＦＥ及びトラッキングエラー信号ＴＥをサーボ処理回路３７へ送出する。
【００６６】
サーボ処理回路３７は、フォーカスエラー信号ＦＥを基に、２軸モータドライバ４１を介して２軸アクチュエータ４４を制御することにより出射光ビームＬＢのフォーカス調整を行い、またトラッキングエラー信号ＴＥを基に、スレッドモータドライバ４０を介してスレッドモータ４３を制御することにより、当該出射光ビームＬＢのトラッキング調整を行う。
【００６７】
またマトリックスアンプ３４は、メインフォトディテクタ２２から供給される検出信号Ａ１〜Ｄ１又はＡ２〜Ｄ２を基に、プッシュプル信号ＰＰ（ＰＰ１又はＰＰ２）を次式
【００６８】
【数３】
2006107679.tif 000005
【００６９】
に基づいて算出し、当該プッシュプル信号ＰＰの信号レベルをプッシュプルＡＧＣ回路３５により自動調整した後、クロック生成回路３６及びウォブルデータ復調回路３７へ送出させる。
【００７０】
クロック生成回路３６は、プッシュプル信号ＰＰを基に書き込みクロック信号ＣＷＲを生成し、これを８−１６エンコーダ回路３１及びライトストラテジ生成回路３２へ送出する。またウォブルデータ復調回路３７は、プッシュプル信号ＰＰを基にウォブルデータＷＢ（ＷＢ１又はＷＢ２）を生成し、これを８−１６エンコーダ回路３１へ送出する。
【００７１】
８−１６エンコーダ回路３１は、ウォブルデータＷＢを基に現時点で出射光ビームＬＢが照射されている光ディスク１００の正確なアドレスを認識し、その認識結果に応じて、次に記録すべき記録データＤＷを書き込みクロック信号ＣＷＲに合わせたタイミングでライトストラテジ生成回路３２へ順次送出する。
【００７２】
このように光ディスク装置１は、ホスト装置２００から供給されたデータＤとアドレスＡとに基づき、ＤＶＤ−ＲＷ等の書換型の光ディスク１００に対して書換波形信号ＳＲＷに基づいた「書込照射モード」の出射光ビームＬＢを照射することにより、当該アドレスＡに対応した箇所の既存のデータを当該データＤに書き換え得るようになされている。
【００７３】
また光ディスク装置１は、ＤＶＤ−Ｒ等の追記型の光ディスク１００に対して書込波形信号ＳＷに基づいた「書込照射モード」の出射光ビームＬＢを照射することにより、当該光ディスク１００のアドレスＡに対応した箇所にデータＤを書き込み得るようになされている。
【００７４】
（２−２）データの読み出し
光ディスク装置１の制御部３０は、ホスト装置２００からデータの再生指示を受け付けた場合、当該再生指示と共に再生すべきデータが記録されているアドレスＡを取得し、これを８−１６エンコーダ回路３１へ送出する。
【００７５】
８−１６エンコーダ回路３１は、制御部３０から取得したアドレスＡを基に、当該アドレスＡを表すアドレス情報ＩＡを生成し、当該アドレス情報ＩＡをライトストラテジ生成回路３２、２値化回路４６、及びサーボ処理回路３８へ送出する。
【００７６】
ライトストラテジ生成回路３２は、まず制御部３０の指示に基づいてレーザダイオード１０から照射する照射光ビームＬＡの照射モードを「読出照射モード」に切り換えさせ、次にデータの読み出しに適した一定パワーの読出波形信号ＳＲ（ＳＲ１又はＳＲ２）を生成してレーザダイオード１０へ送出し、またレーザダイオード１０から発射する発射光ビームＬＡのパワーを一定に保つようなタイミング信号Ｔを生成して自動パワー制御回路３３へ送出する。
【００７７】
また自動パワー制御回路３３は、ライトストラテジ生成回路３２から供給されるタイミング信号Ｔに基づき、パワー制御信号ＰＣをレーザダイオード１０へ送出する。
【００７８】
レーザダイオード１０は、ライトストラテジ生成回路３２から供給された読出波形信号ＳＲ及び自動パワー制御回路３３から供給されたパワー制御信号ＰＣに基づき、一定パワーの発射光ビームＬＡを発射する。
【００７９】
また自動パワー制御回路３３は、データの書き換え時と同様に、フロントモニタフォトディテクタ１６から供給されるフロントモニタ信号ＳＦＭに応じてパワー制御信号ＰＣをフィードバック制御するようになされている。
【００８０】
この結果光ディスク装置１は、レーザダイオード１０から一定パワーの発射光ビームＬＡを発射し、光ピックアップ部２の光学系を順次介して出射光ビームＬＢを光ディスク１００へ照射し、その反射光である反射光ビームＬＤをメインフォトディテクタ２２によって検出して、検出信号Ａ１〜Ｈ１又はＡ２〜Ｈ２をマトリックスアンプ３４及びＲＦアンプイコライザ４５へ送出する。
【００８１】
マトリックスアンプ３４は、メインフォトディテクタ２２から供給される検出信号Ａ１〜Ｈ１又はＡ２〜Ｈ２を基に、上述した（１）式及び（２）式に基づいてフォーカスエラー信号ＦＥ及びトラッキングエラー信号ＴＥを算出し、これらをサーボ処理回路３７へ供給する。
【００８２】
サーボ処理回路３７は、データの書き換え時と同様に、フォーカスエラー信号ＦＥを基に出射光ビームＬＢのフォーカス調整を行い、またトラッキングエラー信号ＴＥを基に当該出射光ビームＬＢのトラッキング調整を行う。
【００８３】
一方ＲＦアンプイコライザ４５は、検出信号Ａ１〜Ｄ１又はＡ２〜Ｄ２を基に、再生ＲＦ信号ＳＲＦ（ＳＲＦ１又はＳＲＦ２）を次式
【００８４】
【数４】
2006107679.tif 000006
【００８５】
に基づいて算出し、これを２値化回路４６へ送出する。
【００８６】
２値化回路４６は内部にＰＬＬ回路を有しており、再生ＲＦ信号ＳＲＦを基に２値化した読出２値データＤＢ（ＤＢ１又はＤＢ２）を生成すると共に当該再生ＲＦ信号ＳＲＦを基に読出クロック信号ＣＲ（ＣＲ１又はＣＲ２）を生成し、これらを８−１６デコーダ回路４７へ送出する。
【００８７】
８−１６デコーダ回路４７は、読出２値データＤＢ及び読出クロック信号ＣＲを基に８−１６復調処理やエラー訂正等の処理を順次施し、最終的に得られた再生データＤＲ（ＤＲ１又はＤＲ２）及びエラー信号ＥＲ（ＥＲ１又はＥＲ２）を制御部３０へ送出する。これに応じて制御部３０は、当該再生データＤＲをデータＤとしてホスト装置２００へ送出する。
【００８８】
このように光ディスク装置１は、ホスト装置２００から供給されたアドレスＡに基づき、データＤが記録されている光ディスク１００に対して読出波形信号ＳＲに基づいた「読出照射モード」の出射光ビームＬＢを照射することにより、当該アドレスＡに対応した箇所から当該データＤを読み出して再生し得るようになされている。
【００８９】
（２−３）データの消去
光ディスク装置１の制御部３０は、ホスト装置２００からデータの消去指示を受け付けた場合、当該消去指示と共に消去すべきデータが記録されているアドレスＡを受け付け、これを８−１６エンコーダ回路３１へ送出する。
【００９０】
８−１６エンコーダ回路３１は、制御部３０から取得したアドレスＡを基に、当該アドレスＡを表すアドレス情報ＩＡを生成し、当該アドレス情報ＩＡをライトストラテジ生成回路３２、２値化回路４６、及びサーボ処理回路３８へ送出する。
【００９１】
ライトストラテジ生成回路３２は、まず制御部３０の指示に基づいてレーザダイオード１０から照射する照射光ビームＬＡの照射モードを「消去モード」に切り換えさせ、次にデータの消去に適した一定パワーの消去波形信号ＳＥ（ＳＥ１又はＳＥ２）を生成してレーザダイオード１０へ送出し、またレーザダイオード１０から発射する発射光ビームＬＡのパワーを一定に保つようなタイミング信号Ｔを生成して自動パワー制御回路３３へ送出する。
【００９２】
自動パワー制御回路３３は、ライトストラテジ生成回路３２から供給されるタイミング信号Ｔに基づき、パワー制御信号ＰＣをレーザダイオード１０へ送出する。
【００９３】
レーザダイオード１０は、ライトストラテジ生成回路３２から供給された消去波形信号ＳＥ及び自動パワー制御回路３３から供給されたパワー制御信号ＰＣに基づき、一定パワーの光ビームＬＡを発射する。
【００９４】
また自動パワー制御回路３３は、データの書き換え時と同様に、フロントモニタフォトディテクタ１６から供給されるフロントモニタ信号ＳＦＭに応じてパワー制御信号ＰＣをフィードバック制御するようになされている。
【００９５】
この結果光ディスク装置１は、一定パワーの消去波形信号ＳＥに基づく発射光ビームＬＡをレーザダイオード１０から発射し、光ピックアップ部２の各種光学部品（図１）を順次介してイレースパワーＰｅの出射光ビームＬＢを光ディスク１００へ照射して、アドレスＡに対応した箇所を再度結晶状態に戻して記録マークを消去する。
【００９６】
このように光ディスク装置１は、ホスト装置２００から供給されたアドレスＡに基づき、ＤＶＤ−ＲＷ等の書き換え型の光ディスク１００に対して消去信号ＳＥに基づいた「消去照射モード」の出射光ビームＬＢを照射することにより、当該アドレスＡに対応した箇所のデータを消去し得るようになされている。
【００９７】
（３）動作モードの切り換え
ところで光ディスク装置１は、上述したように２系統の信号処理を行うことにより光ディスク１００に対して出射光ビームＬＢ１及びＬＢ２の２本の光ビームを同時に照射し得るようになされており、ホスト装置２００（図４）からの指示に基づき、当該２本の光ビームを用いて追記型光ディスクへのデータの記録、書換型光ディスクのデータの書き換え、あるいは各種光ディスクからのデータの再生を行うようになされている。
【００９８】
以下では、光ディスク装置１が出射光ビームＬＢ１及びＬＢ２の２本の光ビームを用いてデータの記録、書き換え、及び再生を行う２ビーム記録動作モード、２ビーム書換動作モード、及び２ビーム再生動作モードについて、それぞれ説明する。
【００９９】
（３−１）２ビーム記録動作モード
光ディスク装置１は、主にＤＶＤ−Ｒ等の追記型の光ディスク１００に対して「２ビーム記録動作モード」によるデータの記録を行うようになされている。
【０１００】
光ディスク装置１の制御部３０は、ホスト装置２００からの指示に基づいて動作モードを「２ビーム記録動作モード」に切り換えることにより、信号処理回路部４における２系統の信号処理回路を用いて、「書込照射モード」に変更した出射光ビームＬＢ１と「読出照射モード」に変更した出射光ビームＬＢ２との２本の光ビームを光ディスク１００に対して同時に照射させる。
【０１０１】
この場合光ディスク装置１は、先行する出射光ビームＬＢ１によるデータの書き込みと並行して追従する出射光ビームＬＢ２によるデータの読み出しを行っており、当該出射光ビームＬＢ１により光ディスク１００にデータを書き込み、その直後に当該出射光ビームＬＢ２の反射光を基に当該書き込んだデータを読み出し、再生データＤＲ２を取得する。
【０１０２】
続いて光ディスク装置１の制御部３０は、内蔵するメモリに蓄積しておいた書き込み前のデータＤと、出射光ビームＬＢ２の反射光ビームＬＤ２を基に生成した再生データＤＲ２とを比較することにより当該再生データＤＲ２の再生状態を認識し、ウォブルデータ復調回路３７の制御に基づき、当該再生状態が最適となるように、すなわち出射光ビームＬＢ１による記録状態が最適となるように当該出射光ビームＬＢ１のパワーを調整する、いわゆるＲｕｎｎｉｎｇ  ＯＰＣ（Optimum Power Control）を行う。
【０１０３】
この結果光ディスク装置１は、仮に各光ディスク１００の製造メーカの違いによる記録特性の違いや１枚の光ディスク１００における内周側・外周側等の記録箇所の違いにより記録特性がばらついたとしても、当該光ディスク１００に対して常に最適なパワーの出射光ビームＬＢ１を照射することができ、最適な記録状態を得ることができる。
【０１０４】
このため光ディスク装置１は、追記型の光ディスク１００に対してデータを記録する際に一般的に前処理として行われる出射光ビームＬＢ１の最適化調整（ＯＰＣ）が不要となり、データの記録速度自体は不変であるものの、当該前処理が不要となる分、データの記録に要する合計時間を短縮することができる。
【０１０５】
また光ディスク装置１は、この「２ビーム記録動作モード」において、「読出照射モード」の、すなわち常に一定のパワーである出射光ビームＬＢ２の反射光を基に、サーボ処理回路３８（図４）によりサーボ制御を行わせるようになされている。
【０１０６】
これにより光ディスク装置１は、「書込照射モード」の、すなわちパワーがパルス状に変化する出射光ビームＬＢ１の反射光を基にサーボ制御を行う場合と比較して、一段と安定したサーボ制御を行うことができる。
【０１０７】
（３−２）２ビーム書換動作モード
光ディスク装置１は、主にＤＶＤ−ＲＷ等の書き換え型の光ディスク１００に対して「２ビーム書換動作モード」によるデータの書き換えを行うようになされている。
【０１０８】
光ディスク装置１の制御部３０は、ホスト装置２００からの指示に基づいて動作モードを「２ビーム書換動作モード」に切り換えることにより、「消去照射モード」に変更した出射光ビームＬＢ１と「書込照射モード」に変更した出射光ビームＬＢ２との２本の光ビームを光ディスク１００に対して同時に照射させる。
【０１０９】
この場合光ディスク装置１は、先行する出射光ビームＬＢ１による既存のデータの消去と並行して追従する出射光ビームＬＢ２による新たなデータの書き込みを行っており、当該出射光ビームＬＢ１により光ディスク１００の既存のデータを消去し、その直後に当該消去した箇所に対して当該出射光ビームＬＢ２により新たなデータを書き込むようになされている。
【０１１０】
このとき光ディスク装置１は、出射光ビームＬＢ１により既存のデータが記録された状態、すなわち光ディスク１００の信号記録膜をアモルファス状態と結晶状態とが混在した状態から結晶状態に均一化するため、出射光ビームＬＢ２により記録マークを安定的に形成しデータとして記録することができる。
【０１１１】
このため光ディスク装置１は、１本の光ビームによる書き換え（いわゆるダイレクトオーバーライト）を前提とした規定の書換速度よりも高速にデータを書き換えた場合でも、記録マークの形成状態をあまり悪化させることがなく、この「２ビーム書換動作モード」の実験において、規定の書換速度に対して約１．６倍に高速化しても正常にデータを記録できることが確かめられた。
【０１１２】
また光ディスク装置１は、この「２ビーム書換動作モード」において、「消去照射モード」の、すなわち常にパワーが一定である出射光ビームＬＢ１の反射光を基にサーボ制御を行うようになされている。
【０１１３】
これにより光ディスク装置１は、「書込照射モード」の、すなわちパワーがパルス状に変化する出射光ビームＬＢ２の反射光を基にサーボ制御を行う場合と比較して、一段と安定したサーボ制御を行い得るようになされている。
【０１１４】
（３−３）２ビーム再生動作モード
光ディスク装置１は、ＤＶＤ−ＲＯＭや記録済のＤＶＤ−Ｒ及びＤＶＤ−ＲＷ等、データの再生が可能な光ディスク１００から「２ビーム再生動作モード」によりデータの再生を行うようになされている。
【０１１５】
光ディスク装置１の制御部３０は、まずホスト装置２００からの指示に基づいて動作モードを「２ビーム再生動作モード」に切り換えることにより、信号処理回路部４の２系統の信号処理回路を用いて、出射光ビームＬＢ１及び出射光ビームＬＢ２を共に「読出照射モード」に変更して光ディスク１００に照射させる。
【０１１６】
この場合光ディスク装置１の制御部３０は、それぞれの再生ＲＦ信号ＳＲＦ１及び再生ＲＦ信号ＳＲＦ２に基づいた再生データＤＲ１及びＤＲ２とエラー信号ＥＲ１及びＥＲ２とを取得し、２種類の再生データＤＲ１及びＤＲ２とそれぞれのエラー信号ＥＲ１及びＥＲ２とを基に所定のエラー訂正処理を行い、最終的にデータＤを生成してホスト装置２００へ送出する。
【０１１７】
これにより光ディスク装置１の制御部３０は、光ディスク１００から通常の読出速度でデータを読み出した場合、当該光ディスク１００に多数の傷や汚れ等があったとしても、１本の光ビームを用いて読み出したときと比較して一段とエラーの少ない（すなわち高品質な）データＤを生成してホスト装置２００へ送出することができる。
【０１１８】
さらに光ディスク装置１は、光ディスク１００から通常よりも高速にデータを読み出すことにより再生データＤＲ１及びＤＲ２のエラーが増加したとしても、エラー訂正処理により最終的に通常と同程度の品質のデータＤを生成することができるので、光ディスク１００から通常よりも高速にデータを読み出すことができる。
【０１１９】
ちなみに光ディスク装置１は、この「２ビーム再生動作モード」において、「読出照射モード」の、すなわち常にパワーが一定である出射光ビームＬＢ１の反射光を基にサーボ制御を行うようになされているが、これに代えて出射光ビームＬＢ２の反射光を基にサーボ制御を行うようにしてもよい。
【０１２０】
なお光ディスク装置は、上述した２本の光ビームを用いる「２ビーム記録動作モード」、「２ビーム書換動作モード」、及び「２ビーム再生動作モード」の他、１本の出射光ビームＬＢ１又はＬＢ２のみを用いてデータの記録、書き換え、あるいは再生を行う動作モードも有しており、ホスト装置２００（図４）の指示に基づいてこれらの動作モードを自在に切り換え得るようになされている。
【０１２１】
（４）動作及び効果
以上の構成において、光ディスク装置１は、ホスト装置２００からの指示に基づいて動作モードを「２ビーム記録動作モード」、「２ビーム書換動作モード」、又は「２ビーム再生動作モード」に切り換えることにより、出射光ビームＬＢ１及び出射光ビームＬＢ２の照射モードをそれぞれ「書込照射モード」、「読出照射モード」又は「消去照射モード」のいずれかに変更し、当該出射光ビームＬＢ１及び当該出射光ビームＬＢ２の両方を用いて当該光ディスク１００に対してデータの記録、書換、及び再生を行う。
【０１２２】
光ディスク装置１は、「２ビーム記録動作モード」により追記型の光ディスク１００に対してデータの記録を行う場合、制御部３０による制御のもと、出射光ビームＬＢ１を「書込照射モード」に変更すると共に出射光ビームＬＢ２を「読出照射モード」に変更することにより、当該出射光ビームＬＢ１により光ディスク１００にデータを書き込み、その直後に当該出射光ビームＬＢ２の反射光を基に当該データを読み出し、再生データＤＲ２を取得して、当該再生データＤＲ２に基づいてデータの再生状態を認識すると共に、当該再生状態が最適になるように出射光ビームＬＢ１のＲｕｎｎｉｎｇ  ＯＰＣを行う。
【０１２３】
従って光ディスク装置１は、この「２ビーム記録動作モード」において、光ディスク１００の記録特性のばらつき等に影響されることなく、当該光ディスク１００に対して常に最適なパワーの出射光ビームＬＢ１を照射することができ、最適な記録状態を得ることができる。
【０１２４】
このため光ディスク装置１は、追記型の光ディスク１００に対してデータを記録する際に一般的に前処理として行われる出射光ビームＬＢの最適化調整（ＯＰＣ）が不要となり、データの記録に要する合計時間を短縮することができる。
【０１２５】
このとき光ディスク装置１は、この「２ビーム記録動作モード」において、常にパワーが一定である出射光ビームＬＢ２の反射光を基にサーボ制御を行うことにより、パワーがパルス状に変化する出射光ビームＬＢ１の反射光を基にサーボ制御を行う場合と比較して、一段と安定したサーボ制御を行うことができる。
【０１２６】
また光ディスク装置１は、「２ビーム書換動作モード」により書換型の光ディスク１００に対してデータの書き換えを行う場合、制御部３０による制御のもと、出射光ビームＬＢ１を「消去照射モード」に変更すると共に出射光ビームＬＢ２を「書込照射モード」に変更することにより、当該出射光ビームＬＢ１により光ディスク１００のデータを消去し、その直後に当該出射光ビームＬＢ２により新たなデータを書き込む。
【０１２７】
従って光ディスク装置１は、出射光ビームＬＢ１によって光ディスク１００の信号記録膜を結晶状態に均一化することにより、出射光ビームＬＢ２によって安定的に新たな記録マークを形成することができ、規定の書換速度に対して約１．６倍に高速化してデータを書き換えた場合でも、記録マークの形成状態を悪化させることなく正常にデータを記録することができ、当該データの書き換えに要する時間を短縮することができる。
【０１２８】
このとき光ディスク装置１は、この「２ビーム書換動作モード」において、常にパワーが一定である出射光ビームＬＢ１の反射光を基にサーボ制御を行うことにより、パワーがパルス状に変化する出射光ビームＬＢ２の反射光を基にサーボ制御を行う場合と比較して、一段と安定したサーボ制御を行うことができる。
【０１２９】
さらに光ディスク装置１は、「２ビーム再生動作モード」により光ディスク１００からデータの再生を行う場合、出射光ビームＬＢ１及び出射光ビームＬＢ２を共に「読出照射モード」に変更することにより、当該出射光ビームＬＢ１及び当該出射光ビームＬＢ２をそれぞれ光ディスク１００に照射し、それぞれの再生データＤＲ１及びＤＲ２とエラー信号ＥＲ１及びＥＲ２とを取得してこれらを基に所定のエラー訂正処理を行ったうえで最終的にデータＤを生成する。
【０１３０】
従って光ディスク装置１は、光ディスク１００から通常の読出速度でデータを読み出した場合、当該光ディスク１００に多数の傷や汚れ等があったとしても、１本の光ビームを用いて読み出したときと比較して一段とエラーの少ない、すなわち高品質なデータを生成することができ、データの再生能力を向上することができる。
【０１３１】
そのうえ光ディスク装置１は、光ディスク１００から通常よりも高速にデータを読み出すことにより再生データＤＲ１及びＤＲ２のエラーが増加したとしても、当該再生データＤＲ１及びＤＲ２の両方を基にエラー訂正処理を行うことにより、最終的に通常と同程度の品質のデータＤを生成することができるので、光ディスク１００から通常よりも高速にデータを読み出すことができ、データの読み出し時間を短縮することができる。
【０１３２】
以上の構成によれば、光ディスク装置１は、ホスト装置２００の指示に基づき、「２ビーム記録動作モード」において出射光ビームＬＢ１を「書込照射モード」に変更すると共に出射光ビームＬＢ２を「読出照射モード」に変更することにより当該出射光ビームＬＢ１のＲｕｎｎｉｎｇ  ＯＰＣを行ってデータの記録に要する合計時間を短縮することができ、また「２ビーム書換動作モード」において出射光ビームＬＢ１を「消去照射モード」に変更すると共に出射光ビームＬＢ２を「書込照射モード」に変更することにより既存のデータを消去し結晶状態に均一化した信号記録膜に新たなデータを高速に書き込むことができ、さらに「２ビーム再生動作モード」において出射光ビームＬＢ１及び出射光ビームＬＢ２を共に「読出照射モード」に変更することによりエラー訂正処理を行ったうえでエラーの少ない高品質なデータを生成するか、あるいは高速にデータを読み出すことができる。
【０１３３】
（５）他の実施の形態
なお上述の実施の形態においては、ＤＶＤ−Ｒ等の追記型の光ディスク１００に対して「２ビーム記録動作モード」でデータを記録するようにした場合について述べたが、本発明はこれに限らず、例えばＤＶＤ−ＲＷ等の書換型の光ディスク１００に対してこの「２ビーム記録動作モード」でデータを記録するようにしても良い。
【０１３４】
また上述の実施の形態においては、光ピックアップ部２においてレーザダイオード１０から発射光ビームＬＡ１及びＬＡ２の２本の光ビームを発射すると共にメインフォトディテクタ２２により反射光ビームＬＤ１及びＬＤ２の２本の光ビーム及びその副ビームを検出し、また信号処理回路部４において２系統の信号処理を行うようにした場合について述べたが、本発明はこれに限らず、例えば光ピックアップ部２においてレーザダイオード１０から３本の光ビームを発射すると共にメインフォトディテクタ２２により３本の光ビーム及びその副ビームを検出し、信号処理回路部４において３系統の信号処理を行うようにしても良い。
【０１３５】
この場合光ディスク装置１は、データの書き換えを行う際に、例えば３本の光ビームを用いる「３ビーム記録動作モード」に切り換え、第１の光ビームを「消去照射モード」に、第２の光ビームを「書込照射モード」に、さらに第３の光ビームを「読出照射モード」にそれぞれ変更することにより、既存のデータを消去してから新たなデータを高速に書き込むことができると共にＲｕｎｎｉｎｇ  ＯＰＣを行うことができる。
【０１３６】
さらに上述の実施の形態においては、出射光ビームＬＢ１を光ディスク１００のアドレス情報ＩＡに対応した箇所に照射させるようにした場合について述べたが、本発明はこれに限らず、出射光ビームＬＢ２を当該アドレス情報ＩＡに対応した箇所に照射させるようにしても良く、あるいは出射光ビームＬＢ１又はＬＢ２のいずれを当該アドレス情報ＩＡに対応した箇所に照射させるか切り換えるようにしても良い。
【０１３７】
さらに上述の実施の形態においては、非点収差法に従いフォーカスエラー信号ＦＥを生成すると共にＤＰＰ法に従いトラッキングエラー信号ＴＥを生成するために、メインフォトディテクタ２２の検出部２２Ａ１〜Ｈ１及び検出部２２Ａ２〜Ｈ２を図３に示したように構成する場合について述べたが、本発明はこれに限らず、フォーカスエラー信号やトラッキングエラー信号を生成する方式に応じた種々の構成とするようにしても良い。
【０１３８】
さらに上述の実施の形態においては、ホスト装置２００からの指示に基づき光ディスク装置１の制御部３０が動作モードを切り換えるようにした場合について述べたが、本発明はこれに限らず、例えば操作部７０（図１）に「動作モード切換スイッチ」を設けておき、当該「動作モード切換スイッチ」を介したユーザの操作指示に基づいて動作モードを切り換えるようにしても良い。
【０１３９】
この場合、ホスト装置２００からの指示と当該動作モード切換スイッチによる操作指示とが異なった場合に、どちらを優先させるか予め設定できるようにしても良い。
【０１４０】
さらに上述の実施の形態においては、「２ビーム記録動作モード」の場合には出射光ビームＬＢ２の反射光を基に、「２ビーム書換動作モード」の場合には出射光ビームＬＢ１の反射光を基に、それぞれサーボ制御を行うようにした場合について述べたが、本発明はこれに限らず、各動作モードにおいて、出射光ビームＬＢ１の反射光から得られるフォーカスエラー信号ＦＥ１及びトラッキングエラー信号ＴＥ１と出射光ビームＬＢ２の反射光から得られるフォーカスエラー信号ＦＥ２及びトラッキングエラー信号ＴＥ２とをそれぞれ平均化してサーボ制御を行うようにしても良い。
【０１４１】
さらに上述の実施の形態においては、「２ビーム記録動作モード」の場合に、制御部３０に内蔵するメモリに蓄積している書き込み前のデータＤと再生データＲＤとを当該制御部３０により比較するようにした場合について述べたが、本発明はこれに限らず、例えば専用のデータ比較回路を設けるようにし、当該データ比較回路において書き込み前のデータＤと当該再生データＲＤとを比較するようにしても良い。
【０１４２】
さらに上述の実施の形態においては、光ディスク装置１が追記型のＤＶＤ−Ｒ、相変化を利用した書換型ＤＶＤ−ＲＷ、及びＤＶＤ−ＲＯＭでなる光ディスク１００に対してデータの記録、書換、及び再生を行うようにした場合について述べたが、本発明はこれに限らず、例えば追記型のＣＤ−Ｒ（Compact Disc-Recordable）や相変化を利用した書換型のＣＤ−ＲＷ（Compact Disc-ReWritable）等の他の種々の光ディスクに対してデータの記録、書換、及び再生を行うようにしても良い。
【０１４３】
さらに上述の実施の形態においては、第１光ビーム照射手段及び第２光ビーム照射手段としてのレーザダイオード１０と、第１光ビーム調整手段、再生手段、及び制御手段としての制御部３０とによって光ディスク装置を構成する場合について述べたが、本発明はこれに限らず、その他種々の回路構成でなる第１光ビーム照射手段と、第２光ビーム照射手段と、第１光ビーム調整手段と、再生手段と、制御手段とによって光ディスク装置を構成するようにしても良い。
【産業上の利用可能性】
【０１４４】
本発明は、追記型の光ディスクにデータを記録し、また相変化を利用した書換型の光ディスクに対してデータを書き換え、さらに記録済の光ディスクからデータの再生を行う光ディスク装置において利用することができる。
【図面の簡単な説明】
【０１４５】
【図１】本発明による光ディスク装置の構成を示す略線図である。
【図２】光ビームの照射位置の説明に供する略線図である。
【図３】フォトディテクタの構成を示す略線図である。
【図４】光ディスク装置の回路構成を示すブロック図である。
【図５】データ書き換え時のライトストラテジの例を示す略線図である。
【符号の説明】
【０１４６】
１……光ディスク装置、２……光ピックアップ部、３……駆動部、４……信号処理回路部、１０……レーザダイオード、２２……メインフォトディテクタ、３０……制御部、３２……ライトストラテジ生成回路、３８……サーボ処理回路、１００……光ディスク、２００……ホスト装置。
【図１】
2006107679.tif 000007
【図２】
2006107679.tif 000008
【図３】
2006107679.tif 000009
【図４】
2006107679.tif 000010
【図５】
2006107679.tif 000011